(57)【要約】【課題】駆動部材とシャッタ羽根とを連結するためにシャッタ地板に形成されている長孔から磨耗紛が羽根室内に進入し、露光面に達するのを抑制し得るようにしたカメラ用フォーカルプレンシャッタを提供すること。【解決手段】後羽根用駆動部材１１は、羽根室外で、シャッタ地板１と図示していない支持板によって支承されている。シャッタ地板１と中間板２との間の羽根室には、仲介部材１８，遮蔽板４，後羽根が配置されている。仲介部材１８は、一端が前記駆動部材１１の軸部１１ｃに取り付けられ、他端は、平面が円弧状をした長孔１ｇ内で作動する連結部材２０を介し、前記駆動部材１１に連結されている。仲介部材１８の駆動ピン１８ａは、平面が円弧状をした遮蔽板４の長孔４ａを貫通し、後羽根のアーム２７の長孔２７ａに挿入され、前記駆動部材１１の回転によって後羽根を作動させ得るようになっている。【選択図】　図２
2004093875.tif 000002
【特許請求の範囲】
【請求項１】
略方形をした撮影光路用の開口部を有していると共に該開口部の一方の側方領域に少なくとも一つの長孔を有しているシャッタ地板と、撮影光路用の開口部を有していて少なくとも一つの羽根室を構成するために前記シャッタ地板に取り付けられている少なくとも一つの板部材と、羽根室内に配置されており前記シャッタ地板に枢着されている複数のアームと該アームの夫々に枢支された少なくとも１枚の羽根とで構成されていてる少なくとも一つのシャッタ羽根と、前記シャッタ地板に隣接し所定の間隔を空けて前記長孔を内側から覆うようにして羽根室内に配置されており前記長孔と対向しない領域に少なくとも一つの長孔を有している遮蔽板と、羽根室外において前記シャッタ地板に回転可能に取り付けられておりその回転によって前記シャッタ羽根を作動させる少なくとも一つの駆動部材と、前記シャッタ地板と前記遮蔽板との間において前記シャッタ地板に回転可能に取り付けられており前記遮蔽板の前記長孔を貫通して前記アームの一つに連結させた駆動ピンを有していると共に前記シャッタ地板の前記長孔を利用して前記駆動部材に連結されている仲介部材と、を備えていることを特徴とするカメラ用フォーカルプレンシャッタ。
【請求項２】
前記遮蔽板が、前記シャッタ地板と略同じ大きさをしていて、撮影光路用の開口部を有していることを特徴とする請求項１に記載のカメラ用フォーカルプレンシャッタ。
【請求項３】
前記遮蔽板が、前記シャッタ地板と対向する面の少なくとも一部に、前記シャッタ地板と対向させて粘着面を有している粘着シートを設けていることを特徴とする請求項１又は２に記載のカメラ用フォーカルプレンシャッタ。
【発明の詳細な説明】
【０００１】
【発明の属する技術分野】
本発明は、シャッタ羽根が、シャッタ地板に枢着された複数のアームと、それらのアームの夫々に枢支された１枚以上の羽根で構成されているタイプのカメラ用フォーカルプレンシャッタに関する。
【０００２】
【従来の技術】
カメラ用フォーカルプレンシャッタの中には、二つのシャッタ羽根（先羽根，後羽根などと称される）が、シャッタ地板を含む三つの板部材の間に構成された二つの羽根室に配置されていて、撮影に際しては、それらのシャッタ羽根によって形成されるスリットが、方形をした固体撮像素子の撮像面やフィルムの感光面（以下、これらの面を総称する場合は露光面という）を連続的に露光していくようにしたものが知られている。そして、この形式のフォーカルプレンシャッタは、銀塩カメラにもデジタルスチルカメラ（動画を撮れるものを含む）にも採用されている。また、一つのシャッタ羽根だけが、シャッタ地板を含む二つの板部材の間に構成された羽根室に配置されていて、撮影の終了時に露光面を閉鎖すると、所定時間後には開放状態にさせられてしまうか、次の撮影までは閉鎖状態を維持させられいるかのどちらかに制御されるものが知られているが、この形式のフォーカルプレンシャッタは、デジタルスチルカメラにだけ採用されている。
【０００３】
そして、いずれの形式のフォーカルプレンシャッタの場合も、一つのシャッタ羽根は、シャッタ地板に枢着された複数のアームと、それらのアームの夫々に枢支された１枚以上の羽根とで構成されており、アームが所定の角度範囲で往復回転させられると、羽根が、露光面を覆う位置と、露光面の前面から退避した位置との間を作動するようになっている。また、そのように構成されたシャッタ羽根は、シャッタ地板に取り付けられていて所定の角度だけ往復回転する駆動部材に連動して作動させられるようになっているが、その駆動部材はシャッタ地板の羽根室外の面に取り付けられているため、シャッタ地板には貫通孔が形成されていて、駆動部材に設けられた駆動ピンがその貫通孔に挿入され、羽根室内で上記のアームの一つに連結されている。従って、その貫通孔は、駆動ピンが駆動部材の回転軸を中心にして往復作動することから、通常は略円弧状をした長孔として形成されている。
【０００４】
【発明が解決しようとする課題】
周知のように、シャッタ地板の羽根室外の面には、上記した駆動部材のほかにも、シャッタ羽根を作動させるために必要な各種の構成部材（以下、総称する場合はシャッタ開閉機構という）が沢山取り付けられいるが、それらの殆どは、比較的上記の長孔の近傍位置に取り付けられている。また、それらの部材は、セット作動時や露光作動時において回転などをする作動部材であったり、それらの作動部材と摺接する部材であったり、それらの作動部材によって当接される部材であったりするため、長孔の付近ではシャッタの作動の都度、それらの摺接や当接によって、微細な磨耗紛が発生する。また、カメラ本体側の構成部材（例えば、ミラー駆動機構）から発生した磨耗紛なども長孔の近傍に飛来してくる。そして、長孔の近傍で発生したり、長孔の近傍に飛来してきた磨耗紛などは、直接、長孔から羽根室内に進入するものもあるし、一旦長孔の近傍位置に付着し、シャッタやミラーの次の作動による衝撃で舞い上げられ進入してくるものもある。
【０００５】
このようにして、磨耗紛が長孔から羽根室内に進入すると、やがては、固体撮像素子やフィルムまで達し、それらの露光面（固体撮像素子の場合には、前面に配置されるフィルタや透明カバー板の表面を含む）に付着するようになる。そして、所定量以上の磨耗紛や大きな磨耗紛などが露光面に付着した場合には、好適な撮影結果が得られず、拡大して再現したときに、その不具合さが画像の一部に顕在化されてしまうことになる。特に、デジタルスチルカメラの場合には、フィルムの場合とは異なり、固体撮像素子がカメラ内に固定されているため、磨耗紛などが極めて微細であっても、それらが蓄積されていくことになって問題化してしまう。
【０００６】
ところで、磨耗紛が絶対に発生しないようにしたり、発生した磨耗紛などが露光面に全く飛来しないようにすることは不可能である。そのため、露光面に飛来する磨耗紛などを、効率よく抑制することが必要になる。また、磨耗紛は、上記のようにシャッタ開閉機構からだけではなく、羽根室内に配置されているシャッタ羽根からも発生する。そこで、従来から、羽根室内で発生したか、羽根室内に進入した磨耗紛が、露光面に向かうのを出来るだけ抑制できるようにした構成が提案されている。しかしながら、その前に、シャッタ開閉機構などから発生した磨耗紛が羽根室内に進入するのを好適に抑制することができるようにした構成は、一般に知られていない。
【０００７】
本発明は、このような問題点を解決するためになされたものであり、その目的とするところは、羽根室外でシャッタ地板に取り付けられている駆動部材と、羽根室内に配置されているシャッタ羽根とを連結するために、シャッタ地板に形成されている長孔から、シャッタ開閉機構やカメラ本体側の構成部材から発生した磨耗紛などが羽根室内に進入してくるのを、好適に抑制することができるようにしたカメラ用フォーカルプレンシャッタを提供することである。
【０００８】
【課題を解決するための手段】
上記の目的を達成するために、本発明のカメラ用フォーカルプレンシャッタは、略方形をした撮影光路用の開口部を有していると共に該開口部の一方の側方領域に少なくとも一つの長孔を有しているシャッタ地板と、撮影光路用の開口部を有していて少なくとも一つの羽根室を構成するために前記シャッタ地板に取り付けられている少なくとも一つの板部材と、羽根室内に配置されており前記シャッタ地板に枢着されている複数のアームと該アームの夫々に枢支された少なくとも１枚の羽根とで構成されていてる少なくとも一つのシャッタ羽根と、前記シャッタ地板に隣接し所定の間隔を空けて前記長孔を内側から覆うようにして羽根室内に配置されており前記長孔と対向しない領域に少なくとも一つの長孔を有している遮蔽板と、羽根室外において前記シャッタ地板に回転可能に取り付けられておりその回転によって前記シャッタ羽根を作動させる少なくとも一つの駆動部材と、前記シャッタ地板と前記遮蔽板との間において前記シャッタ地板に回転可能に取り付けられており前記遮蔽板の前記長孔を貫通して前記アームの一つに連結させた駆動ピンを有していると共に前記シャッタ地板の前記長孔を利用して前記駆動部材に連結されている仲介部材と、を備えているようにする。
【０００９】
その場合、前記遮蔽板が、前記シャッタ地板と略同じ大きさをしていて、撮影光路用の開口部を有しているようにするとシャッタの構成上は有利である。また、前記遮蔽板が、前記シャッタ地板と対向する面の少なくとも一部に、前記シャッタ地板と対向させて粘着面を有している粘着シートを設けているようにすると一層効果的となる。
【００１０】
【発明の実施の形態】
本発明の実施の形態を、図示した実施例によって説明する。本実施例は、デジタルスチルカメラにも銀塩カメラにも適用することの可能な、二つのシャッタ羽根を備えたフォーカルプレンシャッタである。尚、図１は、実施例のフォーカルプレンシャッタをカメラに組み込んだ状態において、被写体側から見た実施例の平面図であって、露光作動終了直後の状態を示したものである。また、図２はその要部断面図であって、図の上方が被写体側となる。更に、図３は、図１と同じようにして見て左側の約半分を示した実施例の平面図であって、セット状態を示したものである。また、本実施例の説明において、表面側とは被写体側のことをいい、背面側とは撮影者側のことをいう。
【００１１】
先ず、実施例の構成を説明する。図１において、シャッタ地板１の略中央部には、長方形を横長にした撮影光路用の開口部１ａが形成されている。また、シャッタ地板１の背面側には、従来から知られているように、所定の間隔を空けて、中間板２と補助地板３が順に配置され、シャッタ地板１と中間板２との間に後羽根の羽根室を構成し、中間板２と補助地板３との間に先羽根の羽根室を構成しているが、本実施例の場合には、特に、シャッタ地板１と中間板２との間に遮蔽板４が配置されている。そして、本実施例の場合、中間板２，補助地板３，遮蔽板４の外形は、図１に破線で示されているように全く同じであって、シャッタ地板１と略同じ大きさをしており、それらの略中央部には、シャッタ地板１の開口部１ａより若干大きな撮影光路用の開口部２ａ，３ａ，４ａが形成されている。従って、本実施例の場合には、開口部１ａが撮影光の通過領域を規制している。
【００１２】
また、中間板２，補助地板３，遮蔽板４は、いずれも、シャッタ地板１の四隅の背面側に立設された軸１ｂ，１ｃ，１ｄ，１ｅに取り付けられている。そして、その取付構成は４ヶ所とも同じであって、軸１ｂに対する取付構成が図２に示されている。即ち、軸１ｂに対し、遮蔽板４の孔を嵌合させてから円筒形のスペーサ５を嵌合させ、次に、中間板２の孔を嵌合させておいてから円筒形のスペーサ６を嵌合させ、最後に、補助地板３の孔を嵌合させておいてから、軸１ｂの先端に形成されているねじ穴にビス７を螺合させている。そのため、シャッタ地板１と遮蔽板４の間隔は軸１ｂの基部に形成された間座部１ｂ−１で規制され、遮蔽板４と中間板２の間隔はスペーサ５によって規制され、中間板２と補助地板３の間隔はスペーサ６によって規制されている。このように、本実施例においては、たまたま遮蔽板４が中間板２と同じ形状をしているため、あたかも、後羽根の羽根室が、遮蔽板４と中間板２とで構成されているかのようになっている。
【００１３】
図１及び図３に示されているように、開口部１ａの左側の領域には、円弧状の二つの長孔１ｆ，１ｇが貫通孔として形成されている。そして、図１においては図面を見易くするために省略されているが、長孔１ｆ，１ｇの上端には、平面形状がＣ字状をした周知のブチルゴム製の緩衝部材８，９が取り付けられている。また、シャッタ地板１には、表面側に軸１が立設されており、背面側には、上記の軸１ｂ，１ｃ，１ｄ，１ｅのほかに軸１ｉ，１ｊが立設されている。更に、周知であるため図示していないが、開口部１ａの左側の領域において、シャッタ地板１の表面側に複数の軸が立設されており、それらの先端には、支持板とプリント配線板が重ねられ、シャッタ地板１と平行になるようにして取り付けられている。そして、それらの支持板とプリント配線板うち、シャッタ地板１側に配置された支持板には、図示していない周知の先羽根用電磁石と後羽根用電磁石が取り付けられている。
【００１４】
先羽根用駆動部材１０と後羽根用駆動部材１１は、いずれも合成樹脂製であって、シャッタ地板１と上記の図示していない支持板によって、夫々の回転軸１０ａ，１１ａが回転可能に支持されている。そして、その支持構成は同じであるため、後羽根用駆動部材１１の場合を、図２を用いて説明する。シャッタ地板１には予め孔が形成されており、そこに軸受部材１２が固定されている。他方、後羽根用駆動部材１１には、回転軸１１ａの両端に軸部１１ｂ，１１ｃが形成されていて、上端の軸部１１ｂを上記の支持板に形成された孔に回転可能に嵌合させ、下端の軸部１１ｃを軸受部材１２の中空部に回転可能に嵌合させている。そして、このとき、下端の軸部１１ｃは、上記の遮蔽板４，中間板２の孔４ｂ，２ｂを貫通し、補助地板３の孔３ｂに挿入されている。尚、先羽根用駆動部材１０の回転軸１０ａに形成されている軸部１０ｂ，１０ｃは、後羽根用駆動部材１１の回転軸１１ａに形成されている軸部１１ｂ，１１ｃと同様にして、図１，図３に示されている。
【００１５】
そこで、このような先羽根用駆動部材１０と後羽根用駆動部材１１のその他の構成を、図１及び図３を用いて説明する。先ず、先羽根用駆動部材１０は、表面側にローラ１３と鉄片部材１４を取り付けていて、その鉄片部材１４は、図３の状態において、上記の図示していない先羽根用電磁石に吸着され得るようになっている。そして、図示していないが、この先羽根用駆動部材１０は、周知の先羽根用駆動ばねによって反時計方向へ回転するように付勢されている。他方、後羽根用駆動部材１１は、背面側に円柱状の被押動部１１ｄを形成しており、表面側には鉄片部材１５を取り付けている。そして、その鉄片部材１５は、図３の状態において、上記の図示していない後羽根用電磁石に吸着され得るようになっている。また、図示していないが、この後羽根用駆動部材１１は、周知の後羽根用駆動ばねによって反時計方向へ回転するように付勢されている。
【００１６】
シャッタ地板１の表面側に立設されている上記の軸１ｈには、セット部材１６が回転可能に取り付けられている。このセット部材１６は、先羽根用駆動部材１０に取り付けられたローラ１３を押す押動部１６ａと、後羽根用駆動部材１１の被押動部１１ｄを押す押動部１６ｂと、図示していないカメラ本体側の部材によって押される被押動部１６ｃとを有していて、図示していない復帰ばねによって、時計方向へ回転するように付勢されているが、図１は、その回転を図示していない停止手段によって阻止されている状態を示したものである。以下、セット部材１６については、この位置を初期位置と称する。
【００１７】
次に、シャッタ地板１の背面側に配置されている部材の構成を説明する。先ず、中間板２，補助地板３，遮蔽板４について、これまでに説明されていなかった点を説明する。シャッタ地板１に形成されている上記の長孔１ｆ，１ｇは、各駆動部材１０，１１の回転軸１０ａ，１１ａの位置を中心にして円弧状に形成されているが、中間板２にも、それらの回転軸１０ａ，１１ａの位置を中心にした半径の小さい円弧状の長孔２ｃ，２ｄが形成されている。また、補助地板３には、回転軸１０ａの位置を中心にした円弧状の長孔３ｃが、長孔２ｃと同一半径で形成されている。更に、遮蔽板４には、回転軸１０ａ，１１ａの位置を中心にした円弧状の長孔４ｃ，４ｄが、長孔２ｃ，２ｄと同一半径で形成されている。更に、図面上では明示されておらず符号も付けていないが、本実施例の場合には、遮蔽板４のシャッタ地板１側の面に、粘着面をシャッタ地板１側にして、極めて薄い粘着シートが全面的に貼付されている。
【００１８】
シャッタ地板１と遮蔽板４の間には、仲介部材１７，１８が配置されている。そして、これらの仲介部材１７，１８は、一端が、各駆動部材１０，１１の軸部１０ｃ，１１ｃに回転可能に取り付けられており、他端は、上記の長孔１ｆ，１ｇの中で作動する連結部材１９，２０によって、駆動部材１０，１１に連結されている。そのため、仲介部材１７，１８は、駆動部材１０，１１によって、同一方向へ同一角度の回転をさせられるようになっている。そして、この仲介部材１７，１８には、駆動ピン１７ａ，１８ａが設けられていて、駆動ピン１７ａは、上記の長孔４ｃ，２ｃを貫通し、その先端が補助地板３の長孔３ｃに挿入されており、駆動ピン１８ａは、図２に示されているように、長孔４ｄ，２ｄを貫通し、その先端が先羽根の羽根室内に入っている。尚、図２に示すように、本実施例においては、連結部材２０は、後羽根用駆動部材１１と仲介部材１８の両方に、かしめ加工によって固定されているが、例えば、一端は後羽根用駆動部材１１に固定されているが、他端は連結部材２０に設けられた孔に嵌合させるようにしても差し支えないし、更に、その場合には、連結部材２０を後羽根用駆動部材１１と一体成形によって形成するようにしても差し支えない。
【００１９】
次に、先羽根と後羽根の構成を説明するが、図２においては先羽根の図示が省略されている。先ず、先羽根は、先羽根用駆動部材１０の軸部１０ｃに回転可能に取り付けられたアーム２１と、シャッタ地板１の軸１ｉに回転可能に取り付けられたアーム２２と、それらの二つのアーム２１，２２の先端部に向けて順に枢支された４枚の羽根２３，２４，２５，２６とで構成されており、最先端に枢支された羽根２６がスリット形成羽根となっている。また、アーム２１には長孔２１ａ（図１においては符号を省略）が形成されていて、そこに上記の駆動ピン１７ａが嵌合している。
【００２０】
他方、後羽根は、後羽根用駆動部材１１の軸部１１ｃに回転可能に取り付けられたアーム２７と、シャッタ地板１の軸１ｊに回転可能に取り付けられたアーム２８と、それらの二つのアーム２７，２８の先端部に向けて順に枢支された４枚の羽根２９，３０，３１，３２とで構成されており、最先端に枢支された羽根３２がスリット形成羽根となっている。また、アーム２７には長孔２７ａ（図１においては符号を省略）が形成されていて、そこに上記の駆動ピン１８ａが嵌合している。
【００２１】
次に、本実施例の作動を説明する。図１は、露光作動終了直後の停止状態を示している。このとき、先羽根用駆動部材１０は、図示していない先羽根用駆動ばねの付勢力によって反時計方向へ回転し、連結部材１９が緩衝部材８（図３参照）に接触して、この停止状態が維持されている。また、このとき、先羽根の４枚の羽根２３〜２６は重畳されて、開口部１ａの上方位置に格納されている。他方、後羽根用駆動部材１１は、図示していない後羽根用駆動ばねの付勢力によって反時計方向へ回転し、連結部材２０が緩衝部材９（図３参照）に接触して、この停止状態が維持されている。そして、このとき、後羽根の４枚の羽根２９〜３２は展開されて開口部１ａを覆っている。
【００２２】
本実施例のセット作動は、図示していないカメラ本体側の部材がセット部材１６の被押動部１６ｃを押し、図示していない復帰ばねの付勢力に抗してセット部材１６を反時計方向へ回転させることによって行なわれる。そして、セット部材１６が反時計方向へ回転を開始すると、先ず、押動部１６ａがローラ１３を回転させながら押し、先羽根用駆動部材１０を、図示していない先羽根用駆動ばねの付勢力に抗して時計方向へ回転させる。それによって、仲介部材１７も時計方向へ回転するので、駆動ピン１７ａがアーム２１を時計方向へ回転させる。そのため、先羽根の４枚の羽根２３〜２６は、隣接する羽根同士の重なりを小さくしつつ下方へ移動していく。
【００２３】
そして、先羽根のスリット形成羽根２６が後羽根のスリット形成羽根３２に所定量重なると、セット部材１６の押動部１６ｂが後羽根用駆動部材１１の被押動部１１ｄを押し始め、それ以後は、後羽根用駆動部材１１も、図示していない後羽根用駆動ばねの付勢力に抗して時計方向へ回転させられる。それによって、仲介部材１８も時計方向へ回転するので、その駆動ピン１８ａがアーム２７を時計方向へ回転させることになり、後羽根の４枚の羽根２９〜３２は、隣接する羽根同士の重なりを大きくしつつ下方へ移動していく。
【００２４】
先羽根用駆動部材１０と後羽根用駆動部材１１は、このようにして、各々の駆動ばねの付勢力に抗して時計方向へ回転させられていくが、セット部材１６の回転は、後羽根の４枚の羽根２９〜３２が重畳されて開口部１ａの下方位置へ格納されると共に、先羽根の４枚の羽根２３〜２６が展開されて開口部１ａを完全に覆い、しかも、各々の駆動部材１０，１１に取り付けられた鉄片部材１４，１５が、図示していない先羽根用電磁石と後羽根用電磁石の鉄芯に夫々確実に接触した段階で、停止させられる。図３は、そのようにして行われたセット作動の完了状態を示したものである。
【００２５】
その後、撮影に際して、カメラのレリーズボタンが押されると、先ず、先羽根用電磁石と後羽根用電磁石に通電され、先羽根用駆動部材１０と後羽根用駆動部材１１に取り付けられた鉄片部材１４，１５が吸着保持される。次に、図示していないカメラ本体側の部材が、セット部材１６の被押動部１６ｃに対する押圧力を解いていくので、セット部材１６は、図示していない復帰ばねの付勢力によって時計方向へ回転されていく。そして、セット部材１６の押動部１６ａ，１６ｂが、先羽根用駆動部材１０のローラ１３と後羽根用駆動部材１１の被押動部１１ｄから離れると、各駆動部材１０，１１は、露光作動開始の待機状態となる。セット部材１６は、その後も回転を続け、図１に示された初期位置へ復帰して停止する。
【００２６】
その後、最初に先羽根用電磁石に対する通電が断たれ、所定時間後には後羽根用電磁石に対する通電が断たれる。そこで、先ず、先羽根用電磁石に対する通電が断たれると、先羽根用駆動部材１０の鉄片部材１４に対する吸引力が失われて、先羽根用駆動部材１０が、図示していない先羽根用駆動ばねの付勢力によって反時計方向へ急速に回転させられる。そのため、仲介部材１７の駆動ピン１７ａがアーム２１を反時計方向へ回転させるので、先羽根の４枚の羽根２３〜２６は隣接する羽根同士の重なり量を大きくしつつ上方へ移動し、スリット形成羽根２６の下端縁によって開口部１ａを開放していく。
【００２７】
次に、後羽根用電磁石に対する通電が断たれて鉄片部材１５に対する吸引力が失われると、後羽根用駆動部材１１は、図示していない後羽根用駆動ばねの付勢力によって反時計方向へ急速に回転させられる。それによって、仲介部材１８の駆動ピン１８ａがアーム２７を反時計方向へ回転させるので、後羽根の４枚の羽根２９〜３２は、隣接する羽根同士の重なり量を小さくしつつ上方へ移動し、スリット形成羽根３２の上端縁によって開口部１ａを覆っていく。従って、以後は、二つのスリット形成羽根２６，３２の間に形成したスリットにより、露光面を連続的に露光していくことになる。
【００２８】
そして、このような露光作動の最終段階になると、先羽根用駆動部材１０は、連結部材１９が緩衝部材８に当接し、緩衝部材８を圧縮させることによって制動されてから停止する。その結果、先羽根の４枚の羽根２３〜２６は、開口部１ａの上方位置に格納状態となって静止する。このようにして、連結部材１９が緩衝部材８に当接した直後に、今度は、連結部材２０が緩衝部材９に当接し、同様にして制動されてから停止する。その結果、後羽根の４枚の羽根２９〜３２は、開口部１ａを完全に覆った状態となって静止するが、その状態が図１に示された状態である。
【００２９】
ところで、本実施例の場合には、全ての部材を図示していないが、実際には、シャッタ地板１の表面側であって開口部１ａの左側の領域には、シャッタ開閉機構を構成する沢山の部材が取り付けられている。そして、それらのうちのかなりの部材が、上記の作動に関連して変位したり、一時的に変形させられたりしている。また、一眼レフカメラの場合には、シャッタ地板１の表面側に、開口部１ａを囲むようにしてミラーボックスが配置されるが、その駆動機構は、ミラーボックス外において、ミラーボックスの左側（シャッタ開閉機構が配置されている側）の壁面に取り付けられる場合がある。そのため、撮影が行われるたびに、それらの機構の部材からは、目視するのが困難なような微細な磨耗紛が発生している。
【００３０】
例えば、本実施例に示した部材の場合でも、先羽根用駆動部材１０，後羽根用駆動部材１１，セット部材１６は回転部材であるから、各駆動部材１０，１１の場合には軸受部材（１２など）との間に磨耗紛を発生させるし、セット部材１６の場合には軸１ｈとの間に磨耗紛を発生させる。ローラ１３の場合も同様に、その回転軸との間に磨耗紛を発生させる。また、セット部材１６の押動部１６ｂが後羽根用駆動部材１１の被押動部１１ｄを押すときには、カム作用が働くので磨耗紛を発生させる。更に、連結部材１９，２０が緩衝部材８，９に当接したときにも、緩衝部材８，９がＣ字状をしているために、連結部材１９，２０が緩衝部材８，９を圧縮しながら擦ることになり、このときにも磨耗紛は発生する。そして、緩衝部材８，９は比較的軟らかいため、発生する磨耗紛には、他から発生した磨耗紛よりも大きいものが含まれている。
【００３１】
開口部１ａの周囲には、上記のように、通常はミラーボックスが配置されている。そのため、シャッタ開閉機構やミラー駆動機構から発生した磨耗紛は、開口部１ａから羽根室内に進入してくる割合は比較的少ない。従って、その殆どは、長孔１ｆ，１ｇから進入しようとする。そして、そのように進入しようとする磨耗紛は、発生時に直接飛来するものもあるが、一旦シャッタ地板１や他の部材の表面に付着していて、その後の撮影時における振動等に起因して飛来してくるものもある。このような事態に対して、従来は、本実施例のような遮蔽板４が配置されていなかったため、長孔１ｆ，１ｇから進入しようとする磨耗紛は、直接、全て羽根室内に入ってしまっていた。そして、羽根室内に入った磨耗紛は、シャッタ羽根に付着したりしてから、さらに奥に進入し露光面に達していた。
【００３２】
それに対して、本実施例の場合には、遮蔽板４が、長孔１ｆ，１ｇを羽根室の内側から塞ぐかのようにして覆っているため、空気の流れを制限し、磨耗紛の進入を抑制している。その上、特に、本実施例の場合には、遮蔽板４のシャッタ地板１側の面に、粘着面をシャッタ地板１側にし粘着シートを貼付しているので、磨耗紛が長孔１ｆ，１ｇを通過しても、その殆どは粘着シートによって捕捉され、後羽根の配置されているスペースに進入するのを極端に抑制している。従って、本実施例の場合には、羽根室外においてシャッタ開閉機構やミラー駆動機構などから発生した磨耗紛は、その殆ど露光面にまでは達しないようになっている。
【００３３】
尚、本実施例の場合は、遮蔽板４の形状が中間板２と同じであって、シャッタ地板１に近い大きさをしているため、従来においてシャッタ地板１に立設されている軸を利用して遮蔽板４を取り付けている。そのため、遮蔽板４の取付構成は好適なものになっている。また、この構成によって、磨耗紛の捕捉面積が大きくなり、捕捉機能が長期間維持できるという利点がある。しかしながら、本発明は、このような構成に限定されることなく、遮蔽板４は、例えば、開口部４ａの左側の領域だけの大きさにしてもよく、また、粘着シートは貼付しなくてもよいし、貼付する場合であっても、遮蔽板４の全面に貼付するのではなく、長孔１ｆ，１ｇに対向する面を中心にしてその周辺部にだけ貼付するようにしても差し支えない。
【００３４】
また、上記の実施例は、撮影時に、駆動部材１０，１１が、図示していない駆動ばねによって作動させられる場合で説明したが、本発明は、モータによって作動させられるものにも適用される。また、上記の実施例は、二つのシャッタ羽根を備えているが、本発明は、羽根室構成用の三つの板部材（シャッタ地板１，中間板２，補助地板３）のうち中間板２を設けずに、一つの羽根室に一つのシャッタ羽根を備えたフォーカルプレンシャッタにも適用することができる。更に、フォーカルプレンシャッタをデジタルスチルカメラに組み込む場合には、本実施例における補助地板３が被写体側となり、シャッタ地板１が撮影者側となるようにして取り付ける場合があるが、本発明は、そのようにしたものにも適用することができる。
【００３５】
【発明の効果】
以上のように、本発明においては、羽根室外でシャッタ地板に取り付けられている駆動部材と、羽根室内に配置されているシャッタ羽根とを連結するために、シャッタ地板に円弧状の長孔が形成されているカメラ用フォーカルプレンシャッタにおいて、駆動部材に連結した仲介部材と、遮蔽板とを羽根室内に配置し、遮蔽板によって上記の長孔を羽根室内から覆うようにすると共に、仲介部材に設けられた駆動ピンによってシャッタ羽根を作動させるようにしたため、羽根室外においてシャッタ開閉機構などの作動によって発生した磨耗紛が、羽根室内を通過し、露光面に向かうのを好適に抑制することができる。また、その遮蔽板のシャッタ地板側の面に、粘着面がシャッタ地板側になるようにして粘着シートを貼付しておくと、一層好適なものとなる。
【図面の簡単な説明】
【図１】カメラに組み込んだ状態において、被写体側から見た実施例の平面図であって、露光作動終了直後の状態を示したものである。
【図２】図１の要部断面図である。
【図３】図１と同様にして見て左側の約半分を示した実施例の平面図であって、セット状態を示したものである。
【符号の説明】
１　　　　　　　　　　　　　シャッタ地板
１ａ，２ａ，３ａ，４ａ　　　開口部
１ｂ，１ｃ，１ｄ，１ｅ，１ｈ，１ｉ，１ｊ　軸
１ｂ−１　　　　　　　　　　間座部
１ｆ，１ｇ，２ｃ，２ｄ，３ｃ，４ｃ，４ｄ，１２ａ，２７ａ　長孔
２　　　　　　　　　　　　　中間板
２ｂ，３ｂ，４ｂ　　　　　　孔
３　　　　　　　　　　　　　補助地板
４　　　　　　　　　　　　　遮蔽板
５，６　　　　　　　　　　　スペーサ
７　　　　　　　　　　　　　ビス
８，９　　　　　　　　　　　緩衝部材
１０　　　　　　　　　　　　先羽根用駆動部材
１０ａ，１１ａ　　　　　　　回転軸
１０ｂ，１０ｃ，１１ｂ，１１ｃ　軸部
１１　　　　　　　　　　　　後羽根用駆動部材
１１ｄ，１６ｃ　　　　　　　被押動部
１２　　　　　　　　　　　　軸受部材
１３　　　　　　　　　　　　ローラ
１４，１５　　　　　　　　　鉄片部材
１６　　　　　　　　　　　　セット部材
１６ａ，１６ｂ　　　　　　　押動部
１７，１８　　　　　　　　　仲介部材
１７ａ，１８ａ　　　　　　　駆動ピン
１９，２０　　　　　　　　　連結部材
２１，２２，２７，２８　　　アーム
２３，２４，２５，２６，２９，３０，３１，３２　羽根
【図１】
2004093875.tif 000003
【図２】
2004093875.tif 000004
【図３】
2004093875.tif 000005